(57)【要約】【課題】  本発明は、ドットラインプリンタ周辺で、会話や電話をする場合、ドットラインプリンタの騒音で、話声が聞き取りにくくなる場合があるので、ドットラインプリンタの騒音を低下させて、話声を聞き取りやすくすることを課題とする。【解決手段】  本発明は、操作パネルまたはワイヤレスリモコンに消音スイッチを設け、該消音スイッチ押下時に一時的に騒音を低減する消音機能を搭載、もしくは、操作パネルおよび上位装置からの設定に消音モードを設け、連続的に騒音を低減する消音機能を搭載したことを特徴とする。【選択図】図１
2006069107.tif 000002
【特許請求の範囲】
【請求項１】
操作パネルまたはワイヤレスリモコンに消音スイッチを設け、該消音スイッチ押下時に一時的に騒音を低減する消音機能を搭載したことを特徴とするドットラインプリンタ。
【請求項２】
操作パネルおよび上位装置からの設定に消音モードを設け、連続的に騒音を低減する消音機能を搭載したことを特徴とするドットラインプリンタ。
【請求項３】
前記消音機能により、１回のシャトルストロークで印刷するドットが多い場合には、１回のシャトルストロークで印刷せずに数回のシャトルストロークに分けて印刷する制御を搭載したことを特徴とする請求項１または２記載のドットラインプリンタ。
【請求項４】
前記消音機能により、ハンマの駆動電流を小さくして印刷の打撃力を弱くする制御を搭載したことを特徴とする請求項１または２記載のドットラインプリンタ。
【請求項５】
前記消音機能により、ハンマ機構部を往復運動させているシャトル機構部のシャトル速度を低下させる制御を搭載したことを特徴とする請求項１または２記載のドットラインプリンタ。
【請求項６】
前記消音機能により、紙送り速度を低下させる制御を搭載したことを特徴とする請求項１または２記載のドットラインプリンタ。
【請求項７】
前記消音機能使用時に、ファン、ブロアの回転数を落とす。または一時停止させる制御を搭載したことを特徴とする請求項３記載のドットラインプリンタ。
【発明の詳細な説明】
【技術分野】
【０００１】
本発明は、印刷を行う複数のハンマで構成されるハンマ機構部をシャトル機構部により水平方向に往復動作し、同時にリボン機構部によりリボンを水平方向に移動させてライン印刷を行い、ライン印刷が終了した時（ハンマ機構部が右端または左端に来た時）に用紙を搬送して印刷紙送りをするドットラインプリンタに関するものである。
【背景技術】
【０００２】
ドットラインプリンタでは、高速機になればなるほど、ハンマの搭載数を増すとともに、ハンマの連続応答速度を速くし、また紙送り速度を速くして紙送り時間を短縮し、単位時間内に印刷出来るドット数を増やして印刷速度を速くしている。このため、高速機になるほど、特に印刷音（ハンマの打撃音）が大きくなる。
【０００３】
従来の技術では、第一に、この印刷音をプリンタ筐体の外へ漏らさないように、高速機になるほど筐体全体を取り囲む形状となる。具体的には、低速機ではホッパ／スタッカ部は覆わないペデスタル形状を取る場合が多く、高速機ではホッパ／スタッカ部を覆うフルコンソール形状のドットラインプリンタとなる。第二に、筐体に吸音部材を貼り騒音を低減している。
【０００４】
また、フルコンソール形状としなくても、吸排気口を床面近くに配置することで騒音を低減する場合もある。
【０００５】
【特許文献１】特開平９−１３１９４６号公報
【発明の開示】
【発明が解決しようとする課題】
【０００６】
ドットラインプリンタの騒音を極端に低減させるためにはコスト高となるために、ある程度の騒音が許されるような環境下での使用を前提にして騒音を抑える設計がなされる。そして、ドットラインプリンタ付近で会話や電話をする場合、その時の印刷パターンや使用条件により、話し声が聞き取りにくくなる場合があった。
【課題を解決するための手段】
【０００７】
上記課題は、操作パネルまたはワイヤレスリモコンに消音スイッチを設け、該消音スイッチ押下時に一時的に騒音を低減する消音機能を搭載、もしくは、操作パネルおよび上位装置からの設定に消音モードを設け、連続的に騒音を低減する消音機能を搭載することによって解決される。
【発明の効果】
【０００８】
本発明によれば、消音機能を有効にすることにより印刷時の騒音を低く抑えることが可能となる。
【発明を実施するための最良の形態】
【０００９】
一時的に騒音を小さくするという目的を、機器の性能低下およびコスト上昇を最小限に抑えて実現した。
【実施例１】
【００１０】
以下、実施例図面を参照して本発明を説明する。
【００１１】
本ドットラインプリンタは、１０８個のハンマピン７１で構成されたハンマ機構部７０を搭載しており、このハンマピン７１は、縦方は約０．８５ｍｍ（６ドット）間隔の４段で構成されており、水平方向は約１０．７ｍｍ（約７６ドット）間隔で構成されている。また、最大印刷幅は約３４５．４ｍｍ（１３．６インチ）となるため、一回のシャトルストロークで、最大９７９２ドット（＝１３．６インチ×１８０ｄｐｉ×４ライン）の印刷が可能となる。この最大値９７９２ドットの印刷を１００％の印刷ｄｕｔｙと呼ぶ。この印刷ｄｕｔｙは、図５のメカ制御部の印刷制御部６５で算出される。
【００１２】
前述したハンマ機構部を搭載したドットラインプリンタで、一時適に騒音を抑えたい場合（例えば会話中や電話中にドットラインプリンタの騒音で、話声が聞こえなくなった場合）、ドットラインプリンタに搭載されている操作パネル９０やワヤレスリモコン（図示せず）に装備さている消音スイッチを押下することで、下記に示す内容により一時適に騒音を低下させる。
【００１３】
本発明の消音制御では、この前述した印刷ｄｕｔｙより、１回のシャトルストロークで印刷を行わずに、数回のシャトルストロークに分けて印刷を実施する。印刷ｄｕｔｙが１０％以下の場合には、従来同様図２に示すように、シャトル１ストロークで印刷を行う。印刷ｄｕｔｙが１０〜２０％の場合には、図１に示すように、４ドット間隔毎に印刷のＯＮ／ＯＦＦを切り替えて、シャトル２ストロークで印刷を行う。印刷ｄｕｔｙが２０％以上の場合には、図示はしていないが、４ドット間隔毎にＯＮｘ１回、ＯＦＦｘ３回を切り替え、シャトル４ストロークで印刷を行う印刷制御を実施して、騒音を低減させること出来る。ただし印刷速度は低下する。
【実施例２】
【００１４】
本ドットラインプリンタは、図６、図７に示すスプリングチャージ方式のハンマを使用しており、このハンマは印刷していない時には、ハンマスプリング７２は、ハンマのマグネット７４の磁力に吸い寄せられるため、ヨーク７５に吸着している。そして、印刷させる時には、ハンマコイル７３に図３のような駆動電流を流すことで、マグネット７４の磁力がハンマスプリング７２へ届かなくなる。このため、ハンマスプリング７２は、図７に図示したようにヨーク７５から離れる。この時にハンマピン７１がインクリボンに到達して印刷がなされる。
【００１５】
前述したスプリングチャージ方式のハンマ機構部を搭載したドットラインプリンタで、連続して騒音を抑えたい場合（印刷速度を低下させずに騒音を抑えたい場合）、操作パネル９０に装備されている消音モードスイッチを押下することで、印刷音を低下させることが出来る。
【００１６】
本発明の消音制御では、図３（ｂ）に示す駆動電流を図３（ａ）に示す駆動電流のように小さくすることで、ハンマスプリング７２がヨーク７５から離れる速度を遅くしてハンマの打撃力を低下させる。このことで、印刷時のハンマの打撃音を低下させて、騒音を低下させることができる。この場合、印刷速度は低下しないが、複写紙への複写能力が低下する。
【実施例３】
【００１７】
騒音の原因として、印刷以外に、シャトル動作音、紙送り動作音が大きい。このため、消音機能が指定された場合には、シャトル速度を低下させたり、紙送り速度を低下させる制御を併せて実施することで、更に騒音を低減させることができる。但し、それに伴い印刷速度は更に低下する。
【図面の簡単な説明】
【００１８】
【図１】印刷ｄｕｔｙが高い場合の印刷動作図。（実施例１）
【図２】印刷ｄｕｔｙが低い場合の印刷動作図。（実施例１）
【図３】ハンマ消音駆動信号とハンマ標準駆動信号を示す図。（実施例２）
【図４】ハンマ駆動回路図。（実施例２）
【図５】プリンタ制御ブロック図。（実施例１）
【図６】ハンマ機構部図。（実施例２）
【図７】ハンマ断面図。（実施例２）
【図８】高速ドットラインプリンタ筐体（フルコンソールタイプ）図。
【図９】低速ドットラインプリンタ筐体（ペデスタルタイプ）図。
【符号の説明】
【００１９】
６０は上位装置、６１は受信処理部、６２はパネル操作部、６３はドットイメージ処理部、６４は受信処理部、６５は印刷制御部、６６はシャトル制御部、６７は紙送り制御部、７０はハンマ機構部、７１はハンマピン、７２はハンマスプリング、７３はハンマコイル、７４はマグネット、７５はヨーク、９０は操作パネルである。
【図１】
2006069107.tif 000003
【図２】
2006069107.tif 000004
【図３】
2006069107.tif 000005
【図４】
2006069107.tif 000006
【図５】
2006069107.tif 000007
【図６】
2006069107.tif 000008
【図７】
2006069107.tif 000009
【図８】
2006069107.tif 000010
【図９】
2006069107.tif 000011